【手続補正書】
【提出日】平成16年12月27日(2004.12.27)
【手続補正１】
【補正対象書類名】明細書
【補正対象項目名】請求項１
【補正方法】変更
【補正の内容】
【請求項１】
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、経路探索用の道路データと、外部の情報端末の側に送信して情報端末の側で対話形式で出発地と目的地を含む経路探索条件を設定させたり、第２の情報配信事業者用のコンピュータシステムに対し経路探索要求を指示させたりするための経路探索条件設定・経路探索要求画面を表示させるための情報を蓄積手段に蓄積し、外部の情報端末から経路探索条件設定・経路探索要求画面情報の要求が有ると、経路探索条件設定・経路探索要求画面情報を要求元の情報端末に返信し、該情報端末から経路探索条件の設定情報を含む経路探索要求が有ると、道路データを参照して出発地から目的地までを結ぶ最適な経路を探索し、該探索した最適経路の情報を要求元の情報端末に返信するようにし、
更に、
第１の情報配信事業者用のコンピュータシステムは、興味対象場所の案内情報を送信する際、第２の情報配信事業者用のコンピュータシステムが経路探索条件設定・経路探索要求画面情報の要求を受け付けるアドレスに興味対象場所の位置情報を付属させた情報をリンク情報とするリンクを付随させ、情報端末で所望の興味対象場所の案内情報をリンクと一緒に表示可能とし、情報端末で当該リンクが選択され、対応するリンク情報に基づき興味対象場所の位置情報付で経路探索条件設定・経路探索要求画面情報の要求を受けると、第２の情報配信事業者用のコンピュータシステムは、当該興味対象場所の位置情報を目的地として設定済とした経路探索条件設定・経路探索要求画面情報を返信するようにし、情報端末は返信された経路探索条件設定・経路探索要求画面情報に基づき、経路探索条件設定・経路探索要求画面を表示し、所望の経路探索条件が設定され、経路探索の要求が指示されると経路探索条件の設定情報を含む経路探索要求を第２の情報配信事業者用のコンピュータシステムに送信するようにしたこと、を特徴とする情報配信方法。
【手続補正２】
【補正対象書類名】明細書
【補正対象項目名】請求項４
【補正方法】変更
【補正の内容】
【請求項４】
経路探索用の道路データを蓄積手段に蓄積し、外部の情報端末から出発地と目的地を含む経路探索条件の設定情報を含む経路探索要求が有ると、道路データを参照して出発地から目的地までを結ぶ最適な経路を探索し、該探索した最適経路の情報を要求元の情報端末に返信する情報配信方法において、
蓄積手段に、外部の情報端末の側に送信し、情報端末の側で対話形式で出発地と目的地を含む経路探索条件を設定したり、第２の情報配信事業者用のコンピュータシステムに対し経路探索要求を指示したりするための経路探索条件設定・経路探索要求画面を表示させるための情報を蓄積し、外部の情報端末から位置情報付で経路探索条件設定・経路探索要求画面情報の要求が有ると、当該位置情報を目的地として設定済とした経路探索条件設定・経路探索要求画面情報を要求元の情報端末に返信するようにしたこと、を特徴とする情報配信方法。
【手続補正３】
【補正対象書類名】明細書
【補正対象項目名】請求項５
【補正方法】変更
【補正の内容】
【請求項５】
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、経路探索用の道路データと、外部の情報端末の側に送信し、情報端末の側で対話形式で出発地と目的地を含む経路探索条件を設定させたり、第２の情報配信事業者用のコンピュータシステムに対し経路探索要求を指示させたりするための経路探索条件設定・経路探索要求画面を表示させるための情報を蓄積手段に蓄積し、外部の情報端末から経路探索条件設定・経路探索要求画面情報の要求が有ると、経路探索条件設定・経路探索要求画面情報を要求元の情報端末に返信し、該情報端末から経路探索条件の設定情報を含む経路探索要求が有ると、道路データを参照して出発地から目的地までを結ぶ最適な経路を探索し、該探索した最適経路の情報を要求元の情報端末に返信するようにし、
更に、
第１の情報配信事業者用のコンピュータシステムは、興味対象場所の案内情報を送信する際、第２の情報配信事業者用のコンピュータシステムが経路探索条件設定・経路探索要求画面情報の要求を受け付けるアドレスに興味対象場所の位置情報を付属させた情報をリンク情報とするリンクを付随させ、情報端末で所望の興味対象場所の案内情報をリンクと一緒に表示可能とし、情報端末で当該リンクが選択され、対応するリンク情報に基づき興味対象場所の位置情報付で経路探索条件設定・経路探索要求画面情報の要求を受けると、第２の情報配信事業者用のコンピュータシステムは、当該興味対象場所の位置情報を出発地として設定済とした経路探索条件設定・経路探索要求画面情報を返信するようにし、情報端末は返信された経路探索条件設定・経路探索要求画面情報に基づき、経路探索条件設定・経路探索要求画面を表示し、所望の経路探索条件が設定され、経路探索の要求が指示されると経路探索条件の設定情報を含む経路探索要求を第２の情報配信事業者用のコンピュータシステムに送信するようにしたこと、を特徴とする情報配信方法。
【手続補正４】
【補正対象書類名】明細書
【補正対象項目名】請求項８
【補正方法】変更
【補正の内容】
【請求項８】
経路探索用の道路データを蓄積手段に蓄積し、外部の情報端末から出発地と目的地を含む経路探索条件の設定情報を含む経路探索要求が有ると、道路データを参照して出発地から目的地までを結ぶ最適な経路を探索し、該探索した最適経路の情報を要求元の情報端末に返信する情報配信方法において、
蓄積手段に、外部の情報端末の側に送信し、情報端末の側で対話形式で出発地と目的地を含む経路探索条件を設定したり、第２の情報配信事業者用のコンピュータシステムに対し経路探索要求を指示したりするための経路探索条件設定・経路探索要求画面を表示させるための情報を蓄積し、外部の情報端末から位置情報付で経路探索条件設定・経路探索要求画面情報の要求が有ると、当該位置情報を出発地として設定済とした経路探索条件設定・経路探索要求画面情報を要求元の情報端末に返信するようにしたこと、を特徴とする情報配信方法。
【手続補正５】
【補正対象書類名】明細書
【補正対象項目名】請求項９
【補正方法】変更
【補正の内容】
【請求項９】
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、経路探索用の道路データ及び交通機関の時刻表データと、外部の情報端末の側に送信し、情報端末の側で対話形式で出発地、目的地、出発地出発予定日時または目的地到着予定日時を含む経路探索条件を設定させたり、第２の情報配信事業者用のコンピュータシステムに対し経路探索要求を指示させたりするための経路探索条件設定・経路探索要求画面を表示させるための情報を蓄積手段に蓄積し、外部の情報端末から経路探索条件設定・経路探索要求画面情報の要求が有ると、経路探索条件設定・経路探索要求画面情報を要求元の情報端末に返信し、該情報端末から経路探索条件の設定情報を含む経路探索要求が有ると、道路データ及び交通機関の時刻表データを参照して出発地から目的地までを徒歩と交通機関を結ぶ最適な経路を探索し、該探索した最適経路の情報を要求元の情報端末に返信するようにし、
更に、
第１の情報配信事業者用のコンピュータシステムは、興味対象場所の案内情報を送信する際、第２の情報配信事業者用のコンピュータシステムが経路探索条件設定・経路探索要求画面情報の要求を受け付けるアドレスに興味対象場所の位置情報を付属させた情報をリンク情報とするリンクを付随させ、情報端末で所望の興味対象場所の案内情報をリンクと一緒に表示可能とし、情報端末で当該リンクが選択され、対応するリンク情報に基づき興味対象場所の位置情報付で経路探索条件設定・経路探索要求画面情報の要求を受けると、第２の情報配信事業者用のコンピュータシステムは、当該興味対象場所の位置情報を目的地として設定済とした経路探索条件設定・経路探索要求画面情報を返信するようにし、情報端末は返信された経路探索条件設定・経路探索要求画面情報に基づき、経路探索条件設定・経路探索要求画面を表示し、所望の経路探索条件が設定され、経路探索の要求が指示されると経路探索条件の設定情報を含む経路探索要求を第２の情報配信事業者用のコンピュータシステムに送信するようにしたこと、を特徴とする情報配信方法。
【手続補正６】
【補正対象書類名】明細書
【補正対象項目名】請求項１２
【補正方法】変更
【補正の内容】
【請求項１２】
経路探索用の道路データ及び交通機関の時刻表データを蓄積手段に蓄積し、外部の情報端末から出発地、目的地、出発地出発予定日時または目的地到着予定日時を含む経路探索条件の設定情報を含む経路探索要求が有ると、道路データ及び交通機関の時刻表データを参照して出発地から目的地までを徒歩と交通機関を結ぶ最適な経路を探索し、該探索した最適経路の情報を要求元の情報端末に返信する情報配信方法において、
蓄積手段に、外部の情報端末の側に送信し、情報端末の側で対話形式で出発地と目的地を含む経路探索条件を設定したり、第２の情報配信事業者用のコンピュータシステムに対し経路探索要求を指示したりするための経路探索条件設定・経路探索要求画面を表示させるための情報を蓄積し、外部の情報端末から位置情報付で経路探索条件設定・経路探索要求画面情報の要求が有ると、当該位置情報を目的地として設定済とした経路探索条件設定・経路探索要求画面情報を要求元の情報端末に返信するようにしたこと、を特徴とする情報配信方法。
【手続補正７】
【補正対象書類名】明細書
【補正対象項目名】請求項１３
【補正方法】変更
【補正の内容】
【請求項１３】
興味対象場所の案内情報の配信を行う第１の情報配信事業者用のコンピュータシステムと、最適経路情報の配信を行う第２の情報配信事業者用のコンピュータシステムと、第１、第２の情報配信事業者用のコンピュータシステムとネットワークを介してデータ通信可能な携帯用または据え置き用の情報端末とを用いた情報配信方法において、
第１の情報配信事業者用のコンピュータシステムは、多数の興味対象場所の案内情報を蓄積手段に蓄積し、外部の情報端末から所望の興味対象場所の案内情報の要求が有ると、蓄積手段から所望の興味対象場所の案内情報を読み出し、要求元の情報端末に返信するようにし、
第２の情報配信事業者用のコンピュータシステムは、経路探索用の道路データ及び交通機関の時刻表データと、外部の情報端末の側に送信し、情報端末の側で対話形式で出発地、目的地、出発地出発予定日時または目的地到着予定日時を含む経路探索条件を設定させたり、第２の情報配信事業者用のコンピュータシステムに対し経路探索要求を指示させたりするための経路探索条件設定・経路探索要求画面を表示させるための情報を蓄積手段に蓄積し、外部の情報端末から経路探索条件設定・経路探索要求画面情報の要求が有ると、経路探索条件設定・経路探索要求画面情報を要求元の情報端末に返信し、該情報端末から経路探索条件の設定情報を含む経路探索要求が有ると、道路データ及び交通機関の時刻表データを参照して出発地から目的地までを徒歩と交通機関で結ぶ最適な経路を探索し、該探索した最適経路の情報を要求元の情報端末に返信するようにし、
更に、
第１の情報配信事業者用のコンピュータシステムは、興味対象場所の案内情報を送信する際、第２の情報配信事業者用のコンピュータシステムが経路探索条件設定・経路探索要求画面情報の要求を受け付けるアドレスに興味対象場所の位置情報を付属させた情報をリンク情報とするリンクを付随させ、情報端末で所望の興味対象場所の案内情報をリンクと一緒に表示可能とし、情報端末で当該リンクが選択され、対応するリンク情報に基づき興味対象場所の位置情報付で経路探索条件設定・経路探索要求画面情報の要求を受けると、第２の情報配信事業者用のコンピュータシステムは、当該興味対象場所の位置情報を出発地として設定済とした経路探索条件設定・経路探索要求画面情報を返信するようにし、情報端末は返信された経路探索条件設定・経路探索要求画面情報に基づき、経路探索条件設定・経路探索要求画面を表示し、所望の経路探索条件が設定され、経路探索の要求が指示されると経路探索条件の設定情報を含む経路探索要求を第２の情報配信事業者用のコンピュータシステムに送信するようにしたこと、を特徴とする情報配信方法。
【手続補正８】
【補正対象書類名】明細書
【補正対象項目名】請求項１６
【補正方法】変更
【補正の内容】
【請求項１６】
経路探索用の道路データ及び交通機関の時刻表データを蓄積手段に蓄積し、外部の情報端末から出発地、目的地、出発地出発予定日時または目的地到着予定日時を含む経路探索条件の設定情報を含む経路探索要求が有ると、道路データ及び交通機関の時刻表データを参照して出発地から目的地までを徒歩と交通機関で結ぶ最適な経路を探索し、該探索した最適経路の情報を要求元の情報端末に返信する情報配信方法において、
蓄積手段に、外部の情報端末の側に送信し、情報端末の側で対話形式で出発地と目的地を含む経路探索条件を設定したり、第２の情報配信事業者用のコンピュータシステムに対し経路探索要求を指示したりするための経路探索条件設定・経路探索要求画面を表示させるための情報を蓄積し、外部の情報端末から位置情報付で経路探索条件設定・経路探索要求画面情報の要求が有ると、当該位置情報を出発地として設定済とした経路探索条件設定・経路探索要求画面情報を要求元の情報端末に返信するようにしたこと、を特徴とする情報配信方法。